(57)【要約】      （修正有）【課題】注水を良好に行って、冷却や切屑の除去を適切に行うことで、研削の作業効率の向上を図ることができる研削盤を提供する。【解決手段】回転軸１３０を矢印Ｆ１方向に回転駆動すると、回転ディスク１００は、矢印Ｆ２の方向に回転する。この状態で注水溝１５０にホース等で注水すると、水は、注水溝１５０から注水穴１２に導かれるが、注水穴１２が回転方向と逆方向に傾斜しているため、注水溝１５０の水を掻き込むようにして導水が行われる。水は、矢印Ｆ３の方向に、回転ディスク１００の先端側から放出され、これによって切屑ＣＷが矢印Ｆ４の方向に排除され、排出穴１１２から排出される。このとき、注水穴１２が傾斜していることから、注水穴１２から放出される水の方向は、回転方向と逆の方向となる。このため、冷却が良好に行われるとともに、切屑ＣＷの放出も効果的に行われる。【選択図】図２
0003225481.tif 000002
【実用新案登録請求の範囲】
【請求項１】
回転ディスクの表面に取り付けられた砥石チップによって加工物を研削する際に、前記回転ディスクの裏面側に設けた注水溝に注水された冷却水を砥石側に放出する複数の注水穴を有する研削盤であって、
前記注水穴を、前記回転ディスクの回転方向と逆の方向に傾斜して設けたことを特徴とする研削盤。
【請求項２】
前記回転ディスクが、前記砥石チップを取り付ける複数の取付面を備えていることを特徴とする請求項１記載の研削盤。
【請求項３】
回転中心に対して外側に位置する砥石チップが取り付けられている取付面に、切屑の排出穴を設けたことを特徴とする請求項２記載の研削盤。
【請求項４】
回転中心に対して中心側に位置する砥石チップが取り付けられている取付面に、前記注水穴が開口していることを特徴とする請求項２又は３記載の研削盤。
【考案の詳細な説明】
【技術分野】
【０００１】
本考案は、コンクリートなどに削孔，研磨などの加工を施す研削盤に関し、特に水などの冷却水を使用して研削を行う研削盤の改良に関する。
【背景技術】
【０００２】
従来の研削盤としては、例えば、下記特許文献１には、ワークの外周部に砥石車を当接して研削を施すようにした研削盤が開示されている。下記特許文献２には、加工物の表裏両面を同時に加工するようにした平面研削盤が開示されている。これに対し、本願考案の研削盤は、図３(A)に示すように、ワークＷに対して穴Ｈを形成するような場合に使用する研削盤であり、回転ディスク１００に複数の砥石チップ１１０を設けた構成となっている。回転ディスク１００は、複数の砥石チップ１１０を取り付けるための取付面１０２，１０４，１０６を備えており、先端ほど面積が狭くなって、凸形状となっている。
【０００３】
すなわち、取付面１０２には、その外周側に砥石チップ１１０が取り付けられており、内側が取付面１０４となっている。取付面１０４には、その外周側に砥石チップ１１０が取り付けられており、内側が取付面１０６となっている。取付面１０６には、その表面に砥石チップ１１０が設けられている。図３(B)には、回転ディスク１００の平面の様子が示されており、砥石チップ１１０は、取付面１０２〜１０６上に取り付けられている。なお、砥石チップ１１０は、摩耗による交換を行うことができるようになっている。
【０００４】
図示の例では、取付面１０２に１２個の砥石チップ１１０が設けられており、取付面１０４に８個の砥石チップ１１０が設けられており、取付面１０６に３個の砥石チップ１１０が、いずれも回転中心の周方向に均等に設けられている。また、これらの砥石チップ１１０の間には、適宜の間隔で、切屑ＣＷを排出する排出穴１１２が設けられている。
【０００５】
回転ディスク１００の中心には管状のフランジ１２０が設けられており、その挿通穴１２２に回転軸１３０が挿入されている。回転軸１３０は、ネジなど適宜の手段でフランジ１２０に固定されている。フランジ１２０の外側には、研削時に冷却や切屑除去を行うための水を供給するための注水溝１５０が環状に設けられており、この注水溝１５０から先端の取付面１０６に向かって、回転軸方向に複数の注水穴１５２が設けられている。注水穴１５２は、回転軸１３０の軸中心の周囲に、均等に複数設けられている。図示の例では、１２０度の角度で、３つの注水穴１５２が設けられている。
【０００６】
回転軸１３０が回転すると、回転ディスク１００が回転し、砥石チップ１１０によってワークＷが研削される。このとき、図示しないホースから注水溝１５０に対して水が注がれ、この水は、注水穴１５２を通って、回転ディスク１００の先端に導かれる。これにより、切屑ＣＷの押出しや、冷却が行われる。押し出された切屑ＣＷは、排出穴１１２から回転ディスク１００の裏面側に排出される。このような構造の研削盤は、研削水の供給を、回転軸１３０の中心の穴から供給できないような場合に有効である。
【先行技術文献】
【特許文献】
【０００７】
【特許文献１】特開2010-42488号公報
【特許文献２】特開昭60-249563号公報
【考案の概要】
【考案が解決しようとする課題】
【０００８】
以上のように、図３に示した従来の研削盤では、注水穴１５２によって、回転ディスク１００の裏面側から表面側に注水が行われ、これによって冷却や切屑ＣＷの排出が行われるが、特に切屑ＣＷの排出が必ずしも十分とはいえず、切屑ＣＷが先端部分で砥石チップ１１０の間に残るようになり、結果的にワークＷの研削の作業効率が低下することとなる。
【０００９】
本考案は、以上の点に着目したもので、注水を良好に行って、冷却や切屑の除去を適切に行うことで、研削の作業効率の向上を図ることができる研削盤を提供することを、その目的とする。
【課題を解決するための手段】
【００１０】
本考案は、回転ディスクの表面に取り付けられた砥石チップによって加工物を研削する際に、前記回転ディスクの裏面側に設けた注水溝に注水された冷却水を砥石側に放出する複数の注水穴を有する研削盤であって、前記注水穴を、前記回転ディスクの回転方向と逆の方向に傾斜して設けたことを特徴とする。
【００１１】
主要な形態の一つによれば、前記回転ディスクが、前記砥石チップを取り付ける複数の取付面を備えていることを特徴とする。他の形態によれば、回転中心に対して外側に位置する砥石チップが取り付けられている取付面に、切屑の排出穴を設けたことを特徴とする。更に他の形態によれば、回転中心に対して中心側に位置する砥石チップが取り付けられている取付面に、前記注水穴が開口していることを特徴とする。本考案の前記及び他の目的，特徴，利点は、以下の詳細な説明及び添付図面から明瞭になろう。
【考案の効果】
【００１２】
本考案によれば、注水穴を、回転ディスクの回転方向と逆の方向に傾斜して設けることとしたので、冷却や切屑の除去を適切に行うことができ、研削の作業効率の向上を図ることができる。
【図面の簡単な説明】
【００１３】
【図１】本考案にかかる研削盤の一実施例の構成を示す図である。(A)は正面ないし表面側から見た図であり、(B)は(A)の主要断面図であり、(C)は(A)を矢印方向から見た側面図であり、(D)は背面ないし裏面側から見た図である。
【図２】前記実施例の作用を示す図である。(A)は側面を示し、(B)は正面を示す。
【図３】背景技術の研削盤を示す図である。(A)は側面を示し、(B)は正面を示す。
【考案を実施するための形態】
【００１４】
以下、本考案を実施するための最良の形態を、実施例に基づいて詳細に説明する。なお、上述した図３の背景技術と同様の構成部分については、同一の符号を用いることとする。
【実施例１】
【００１５】
図１には、本考案にかかる研削盤１０の一実施例の構成が示されている。(A)は正面ないし表面側から見た図であり、(B)は(A)の主要断面図であり、(C)は(A)を矢印方向から見た側面図であり、(D)は背面ないし裏面側から見た図である。これらの図に示すように、回転ディスク１００，取付面１０２，１０４，１０６，複数の砥石チップ１１０，排出穴１１２，回転ディスク１００の中心のフランジ１２０，その挿通穴１２２，注水溝１５０については、上述した図３と同様である。
【００１６】
すなわち、回転ディスク１００は、複数の砥石チップ１１０を取り付けるための取付面１０２，１０４，１０６を備えており、先端ほど面積が狭くなって、凸形状となっている。すなわち、取付面１０２には、その外周側に砥石チップ１１０が取り付けられており、内側が取付面１０４となっている。取付面１０４には、その外周側に砥石チップ１１０が取り付けられており、内側が取付面１０６となっている。取付面１０６には、その表面に砥石チップ１１０が設けられている。
【００１７】
取付面１０２においては、回転中心から放射状に向かってハの字状に設けられた砥石チップ１１０の組が６つ、全体で１２個の砥石チップ１１０が設けられている。砥石チップ１１０の組の間には、排出穴１１２が設けられている。取付面１０４においては、回転中心から放射状に向かってハの字状に設けられた砥石チップ１１０の組が４つ、全体で８個の砥石チップ１１０が設けられている。砥石チップ１１０の組の間には、排出穴１１２が設けられている。取付面１０６においては、放射方向に３つの砥石チップ１１０が設けられており、各砥石チップ１１０の間に、注水穴１５２が設けられている。
【００１８】
回転ディスク１００の中心には管状のフランジ１２０が設けられており、その挿通穴１２２に回転軸１３０が挿入されている。回転軸１３０にはキーが設けられており、これが挿通穴１２２の凹部に嵌まり込んで締結されるとともに、ネジなど適宜の手段で回転軸１３０がフランジ１２０に固定されている。フランジ１２０外側には注水溝１５０が環状に設けられており、この注水溝１５０から先端の取付面１０６に向かって、回転軸方向に複数の注水穴１５２が設けられている。注水穴１５２は、回転軸１３０の軸中心の周囲に、均等に複数設けられている。図示の例では、１２０度の角度で、３つの注水穴１５２が設けられている。
【００１９】
この場合において、本実施例では、フランジ１２０の外側の注水溝１５０に取付面１０６に向かって形成されている複数の注水穴１２が、回転軸方向に対して斜めに形成されている。しかも、その傾斜方向は、図２(A)に示すように、回転方向と逆の方向に向かって傾斜している。
【００２０】
次に、図２も参照しながら、上記実施例の作用を説明する。回転軸１３０を矢印Ｆ１方向に回転駆動すると、回転ディスク１００は、矢印Ｆ２で示す方向に回転する。この状態で、注水溝１５０にホース等で注水すると、水は、注水溝１５０から注水穴１２に導かれるが、上述したように、注水穴１２が回転方向と逆方向に傾斜しているため、注水溝１５０の水を掻き込むようにして導水が行われる。水は、矢印Ｆ３で示すように、回転ディスク１００の先端側から放出され、これによって切屑ＣＷが矢印Ｆ４で示す方向に排除されて、排出穴１１２から排出される。このとき、注水穴１２が傾斜していることから、注水穴１２から放出される水の方向は、回転方向と逆の方向となる。このため、切屑ＣＷの放出がより効果的に行われるようになる。また、切屑ＣＷが除去されると、冷却も良好に行われるようになる。
【００２１】
以上のように、本実施例によれば、注水穴１２を、回転ディスク１００の回転方向と逆の方向に傾斜して設けることとしたので、冷却や切屑ＣＷの除去を適切に行うことができ、研削の作業効率が向上する。
【００２２】
＜他の実施例＞  本考案には数多くの実施例があり、以上の開示に基づいて多様に改変することが可能である。例えば、次のようなものも含まれる。
(1)前記実施例で示した注水穴１２，取付面１０２，１０４，１０６，砥石チップ１１０，排出穴１１２などの数や配置は、必要に応じて増減してよい。
(2)前記実施例における注水穴１２の開口位置を、図１(A)に点線で示す注水穴１２Ａの位置としてもよい。このようにすると、より中心から水が放射されるようになり、冷却や切屑の除去がより効果的に行われるようになる。
(3)前記実施例では、研削液として水を用いたが、水以外のものを使用することを妨げるものではない。
(4)本考案の研削盤の加工対象としては、石材やコンクリートの他、金属についても有効である。研削加工には、研磨，削穴などの各種の研削加工が含まれる。
【産業上の利用可能性】
【００２３】
本考案によれば、注水穴を、回転ディスクの回転方向と逆の方向に傾斜して設けることとしたので、冷却や切屑の除去を適切に行うことができ、研削の作業効率の向上を図ることができ、石材やコンクリートなどの研削加工に好適である。
【符号の説明】
【００２４】
１０：研削盤
１２，１２Ａ：注水穴
１００：回転ディスク
１０２，１０４，１０６：取付面
１１０：砥石チップ
１１２：排出穴
１２０：フランジ
１２２：挿通穴
１３０：回転軸
１５０：注水溝
１５２：注水穴
ＣＷ：切屑
Ｈ：穴
Ｗ：ワーク
【図１】
0003225481.tif 000003
【図２】
0003225481.tif 000004
【図３】
0003225481.tif 000005